(57)【要約】【課題】遊技者に疲労を感じさせにくく、快適に遊技を行わせることが可能な遊技機を提供することである。【解決手段】遊技球が転動する遊技領域１５に、遊技者の操作により遊技球を発射させる発射操作ユニット２６を備えた遊技機１０。発射操作ユニット２６は、遊技者により把持される発射ハンドル３００と、発射ハンドル３００を着脱自在に取り付け可能とし、遊技者の操作により発射ハンドル３００とともに回動する回動軸部３１０と、回動軸部３１０の回動に伴い遊技球の発射動作を駆動する発射モータとを備えた。【選択図】図４
2007111134.tif 000002
【特許請求の範囲】
【請求項１】
遊技球が転動する遊技領域に、遊技者の操作により遊技球を発射させる発射操作手段を備えた遊技機であって、
前記発射操作手段は、遊技者により把持される把持部と、当該把持部を着脱自在に取り付け可能とし、遊技者の操作により前記把持部とともに回動する回動部と、当該回動部の回動に伴い遊技球の発射動作を駆動する発射駆動部とを有することを特徴とする遊技機。
【請求項２】
前記把持部における遊技者が把持する箇所の外径寸法である把持径寸法を遊技者の操作によって変更し得る変更手段と、当該変更手段によって変更された把持径寸法を固定する寸法固定手段とを有することを特徴とする請求項１記載の遊技機。
【請求項３】
前記寸法固定手段により固定された前記把持径寸法を遊技者の操作により変動状態に開放する開放手段を有することを特徴とする請求項２に記載の遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
従来のパチンコ機では、遊技盤における遊技球が転動する遊技領域に向けて、遊技球を発射させるための発射ハンドルが設けられており、この発射ハンドルは、右手で把持しながら時計回りに回動させることにより、ソレノイドを駆動させて遊技球を弾くようにして発射させている。また、発射ハンドルの回動角度の大きさによって、遊技球の発射強度が変化するようにソレノイドを駆動させている。
【０００３】
しかし、上述したように、発射ハンドルにおいては、遊技者が長時間遊技を行うと、発射ハンドルを操作する手は力を入れた状態で同じ姿勢を維持するため、手が疲れてしまい把持力が弱りやすく、場合によっては遊技球の発射を一時的に停止させるためのウエイトボタン（発射ハンドルの周面の一部に取り付けられている）を押すこともできなくなる場合がある。
【０００４】
そこで、遊技者の疲労感を緩和させるものとして、ハンドル本体の操作部が左回動及び右回動が自在であり、各左右回動に応じて、遊技球を発射させることを可能とし、左利き及び右利きの遊技者が共に疲労を感じにくくしている遊技機が提案されている（特許文献１参照）。
【特許文献１】特開２００５−７００３号公報
【発明の開示】
【発明が解決しようとする課題】
【０００５】
しかしながら、遊技者が左回動しようが右回動しようが、発射ハンドルを手で把持して回転させることに変わりがなく、遊技機における発射ハンドルのサイズは一定のものであるので、遊技者の手のサイズが合わない場合、上述した疲労感を解消させるには至らない。
【０００６】
したがって、遊技者の手のサイズに合った発射ハンドルで遊技を行うことが可能であり、疲労を感じにくく快適に遊技を行うことが可能な遊技機の提供が望まれている。
【０００７】
本発明は、上述したような課題に鑑みてなされたものである。その目的は、遊技者に疲労を感じさせにくく、快適に遊技を行わせることが可能な遊技機を提供することである。
【課題を解決するための手段】
【０００８】
以上のような目的を達成するために、本発明は、以下のようなものを提供する。
【０００９】
（１）  遊技球が転動する遊技領域に、遊技者の操作により遊技球を発射させる発射操作手段を備えた遊技機であって、前記発射操作手段は、遊技者により把持される把持部と、当該把持部を着脱自在に取り付け可能とし、遊技者の操作により前記把持部とともに回動する回動部と、当該回動部の回動に伴い遊技球の発射動作を駆動する発射駆動部とを有することを特徴とする遊技機。
【００１０】
（１）の発明によれば、遊技者により把持される把持部と、把持部とともに回動する回動部と、回動部の回動に伴い遊技球の発射動作を駆動する発射駆動部を有する発射操作手段を用いて、把持部を回動部に対して着脱自在とすることで、把持部を容易に交換することが可能となる。これにより、遊技を行う遊技者に、自分の手のサイズに合った把持部に取り換えて、遊技球を発射させることが可能となるので、遊技を行っている遊技者に疲労を感じさせにくく、快適に遊技を行わせることが可能な遊技機を提供できる。
【００１１】
（２）  前記把持部における遊技者が把持する箇所の外径寸法である把持径寸法を遊技者の操作によって変更し得る変更手段と、当該変更手段によって変更された把持径寸法を固定する寸法固定手段とを有することを特徴とする（１）に記載の遊技機。
【００１２】
（２）の発明によれば、把持部の把持される箇所の外径寸法である把持径寸法を遊技者の操作によって変更手段により変更し、更に変更された把持径寸法を寸法固定手段によって固定することで、遊技者の操作で一つの把持部を複数のサイズに設定することが可能となる。これにより、遊技を行う遊技者に、一つの把持部であっても自分の手のサイズに合った把持径寸法に変更して遊技球を発射させることが可能となるので、遊技者に疲労を感じさせにくく、快適に遊技を行わせることが可能な遊技機を提供できる。
【００１３】
（３）  前記寸法固定手段により固定された前記把持径寸法を遊技者の操作により変動状態に開放する開放手段を有することを特徴とする（２）に記載の遊技機。
【００１４】
（３）の発明によれば、寸法固定手段により固定された把持径寸法を遊技者の操作により変動状態に開放する開放手段を有するので、把持径寸法の変更された把持部を変動状態に開放し、元の把持径寸法に戻すことが可能となる。これにより、例えば、把持部の把持径寸法を小さくしすぎた場合に開放手段の操作により変動状態とし、再び自分の手のサイズに把持径寸法を変更することが可能となるので、最も適した把持径寸法に容易に調整することが可能となるので、把持径寸法の変更にあたって遊技者に疲労を感じさせにくく、快適に遊技を行わせることが可能な遊技機を提供できる。
【発明の効果】
【００１５】
遊技者により把持される把持部と、把持部とともに回動する回動部と、回動部の回動に伴い遊技球の発射動作を駆動する発射駆動部を有する発射操作手段を用いて、把持部を回動部に対して着脱自在とすることで、把持部を容易に交換することが可能となり、遊技者が、自分の手のサイズに合った把持部に取り換えて、遊技球を発射させることが可能となるので、遊技を行っている遊技者に疲労を感じさせにくく、快適に遊技を行わせることが可能な遊技機を提供できる。
【発明を実施するための最良の形態】
【００１６】
以下に、本発明に好適な実施形態について図面に基づいて説明する。尚、以下において説明する実施形態においては、本発明に係る遊技機に好適な実施形態として本発明を第１種パチンコ遊技機（デジパチとも称される。）に適用した場合を示す。
【００１７】
［遊技機の構成］
まず、遊技機の概観について図１と図２を用いて説明する。図１は、本実施形態におけるパチンコ遊技機１０の前方の概観を示す斜視図である。図２は、本実施形態におけるパチンコ遊技機１０の概観を示す分解斜視図である。
【００１８】
図１及び図２に示すように、パチンコ遊技機１０は、扉１１、本体枠１２、ベースドア１３、遊技盤１４、皿ユニット２１、液晶表示装置３２、発射操作ユニット２６などから構成されている。
【００１９】
上述した扉１１は、ベースドア１３に対して開閉自在に軸着されている。また、この扉１１の中央には、透光性を有する保護ガラス１９が配設されている。この保護ガラス１９は、扉１１が閉鎖された状態で、後述する遊技盤１４の前面に対面するように配設されている。特に、この保護ガラス１９は、少なくとも遊技領域１５の全域と対面するように配設されておればよいが、遊技領域１５に該当しない遊技盤１４の前面領域１６に対面するように配設されてもよい。
【００２０】
上述した皿ユニット２１は、扉１１の下方に位置するように、ベースドア１３に配設されている。皿ユニット２１は、その上方に上皿２０が設けられている。また、上皿２０の下方には下皿２２が設けられている。上皿２０には、遊技領域１５に発射させるための遊技球が貯留される。また、上皿２０及び下皿２２には、遊技球の貸し出し、遊技球の払出し（賞球）を行うための払出口が形成されており、所定の条件が成立した場合には、球払出ユニットに貯留されている遊技球が排出されることとなる。
【００２１】
上述した遊技盤１４は、扉１１における保護ガラス１９の後方に位置するように、ベースドア１３の前方に配設されている。この遊技盤１４は、その全部が透光性を有する板形状の樹脂によって形成されている。この透光性を有する樹脂としては、例えば、アクリル樹脂、ポリカーボネート樹脂、メタクリル樹脂など各種の材質が該当する。遊技盤１４は、その前面に、発射された遊技球が転動可能な遊技領域１５を有している。この遊技領域１５は、図１に示すように、ガイドレール３０に囲まれ、遊技球が転動可能な領域である。また、遊技盤１４における遊技領域１５には複数の障害釘が打ちこまれている。このように、発射操作ユニット２６によって発射された遊技球は、遊技盤１４上に設けられたガイドレール３０に案内されて遊技領域１５の上部に移動し、その後、上述した複数の障害釘との衝突によりその進行方向を変えながら遊技盤１４の下方に向かって落下することとなる。換言すると、遊技領域１５は、遊技球が転動する遊技領域の一例であり、発射操作ユニット２６は、遊技球が転動する遊技領域に、遊技者の操作により遊技球を発射させる発射操作手段の一例として機能する。
【００２２】
この遊技盤１４の前面中央には、始動口４４、シャッタ４０などが設けられている。この始動口４４に遊技球が入球したことを条件として、液晶表示装置３２において識別情報の可変表示が実行されることとなる。また、この識別情報の可変表示の結果に応じて、通常遊技状態よりも遊技者にとって有利な特定遊技状態（所謂、「大当り」）となる。この特定遊技状態となった場合には、シャッタ４０が開放状態に制御され、大入賞口３９に遊技球が受け入れ可能な開放状態となることがある。また、このような遊技盤１４においては、各種の役物が取り付け可能となっている。
【００２３】
上述したように、扉１１、遊技盤１４、皿ユニット２１、発射操作ユニット２６が配設されたベースドア１３は、本体枠１２に軸着されている。ベースドア１３の中央には開口が形成されている。このため、ベースドア１３の後方に配設される液晶表示装置３２の表示領域３２ａが、透光性を有する遊技盤１４、保護ガラス１９を介して、前方から視認可能となる。また、このベースドア１３の上方には、スピーカ４６Ｌ、４６Ｒが配設される。
【００２４】
上述した液晶表示装置３２は、ベースドア１３に配設されている。この液晶表示装置３２は、遊技に関する画像を表示するための表示領域３２ａを有している。この液晶表示装置３２は、ベースドア１３を介して、遊技盤１４の後方（背面側）に配設されることとなる。また、液晶表示装置３２は、表示領域３２ａがベースドア１３を介して遊技盤１４の全部又は一部と背面側から重なるように配設されている。この液晶表示装置３２における表示領域３２ａには、特別図柄ゲームにおける識別情報、普通図柄ゲームにおける普通図柄、特別図柄ゲームにおける識別情報に伴う装飾図柄、遊技に係る背景画像、演出画像等、各種の画像が表示される。
【００２５】
このように、遊技者によってパチンコ遊技機１０の前方から遊技が行われている場合、つまり、扉１１が閉鎖した状態である場合には、透光性を有する遊技盤１４の背面側に液晶表示装置３２が配設されるとともに、遊技盤１４の前面側に透光性を有する保護ガラス１９が配設されるので、液晶表示装置３２における表示領域３２ａに表示された画像が、透光性を有する遊技盤１４及び保護ガラス１９を介して遊技者に対して視認可能となる。
【００２６】
尚、この液晶表示装置３２における表示領域３２ａに表示される画像の一例として、特別図柄ゲームにおける識別情報を挙げる。例えば、液晶表示装置３２における表示領域３２ａには、特別図柄ゲームにおける識別情報が可変表示される。この識別情報は、特別図柄ゲームにおいて主に特別図柄から構成されるものである。この識別情報は、数字や記号等からなる図柄であり、本実施形態においては、“０”から“９”までの数字を用いる。
【００２７】
「可変表示」とは、変動可能に表示される概念であり、例えば、実際に変動して表示される「変動表示」、実際に停止して表示される「停止表示」等を可能とするものである。また、「可変表示」は、特別図柄ゲームの結果として識別情報が表示される「導出表示」を行うことができる。また、変動表示が開始されてから導出表示されるまでを１回の可変表示と称する。
【００２８】
この液晶表示装置３２には、複数の図柄列（本実施形態においては３列）に対応する識別情報が可変表示される。これら複数の図柄列において識別情報の導出表示が行われ、導出表示された複数の識別情報の組合せが特定の表示態様（例えば、複数の図柄列のそれぞれに“０”から“９”のいずれかが全て揃った状態で導出表示される態様、所謂「大当り表示態様」）になったことに基づいて、遊技状態を遊技者にとって有利な特定遊技状態（所謂大当り）に移行することとなる。尚、本実施形態においては、識別情報を複数の図柄列で構成したが、これに限らず、例えば、識別情報を一列の図柄列で構成してもよく、識別情報を用いない構成であってもよい。
【００２９】
尚、本実施形態において、画像を表示する部分として液晶ディスプレイパネルからなる液晶表示装置３２を採用したが、これに限らず、他の態様であってもよく、例えば、ＣＲＴ（Ｃａｔｈｏｄｅ  Ｒａｙ  Ｔｕｂｅ）を含むブラウン管、ドットＬＥＤ、セグメントＬＥＤ、ＥＬ（Ｅｌｅｃｔｒｏｎｉｃ  Ｌｕｍｉｎｅｓｃｅｎｔ）、プラズマ等からなるものであってもよい。また、特別図柄ゲームにおける識別情報としての特別図柄などを、液晶表示装置３２の表示領域３２ａにおける所定の位置に表示するように構成したが、これに限らず、例えば、遊技者に対して視認可能な位置であれば別の態様であってもよい。また、表示手段として液晶表示装置３２を採用したが、これに限らず、別の態様であってもよく、例えば、表示手段としてドラム、ベルト、リーフ等を可変表示手段として採用してもよい。もちろん、このような表示手段を備えなくてもよい。
【００３０】
［発射操作ユニット］
発射操作ユニット２６は、皿ユニット２１の側方に位置するように、ベースドア１３に配設されている。この発射操作ユニット２６は、発射ハンドル３００と、回動軸部３１０と、ハウジング部３２０とから構成されている。図３に示すように、回動軸部３１０の先端には、係合凸部３１５が形成されている。係合凸部３１５は、正面視で矩形であり、断面形状は、上部に欠き込みが形成されている。一方、図６に示すように、発射ハンドル３００の背面部には、係合凹部４０５が形成されている。係合凹部４０５は、係合凸部３１５の正面視の形状より僅かに大きい開口部が形成さるとともに、開口部上部には、係合凸部３１５の欠き込みに係合する突起部が形成されている。すなわち、遊技者が発射ハンドル３００を回動させると、これに伴い回動軸部３１０も回動することとなる。また、遊技者は、発射ハンドル３００を回動軸部３１０から取り外す場合は、発射ハンドル３００を上方に移動させ、回動軸部３１０における係合凸部３１５の欠き込みと、発射ハンドル３００における係合凹部４０５の突起部との係合を解除し、遊技者側に引き出すことで、発射ハンドル３００を回動軸部３１０から取り外すことが可能となる。
【００３１】
換言すると、発射ハンドル３００は、遊技者により把持される把持部の一例であり、回動軸部３１０は、把持部を着脱自在に取り付け可能とし、遊技者の操作により把持部とともに回動する回動部の一例として機能する。
【００３２】
また、回動軸部３１０の裏側には、発射モータが設けられている。さらに、発射ハンドル３００の周縁には、タッチセンサ（図示せず）、発射停止スイッチ（図示せず）などが設けられている。このタッチセンサが触接されたときには、遊技者により発射ハンドル３００が握持されたと検知される。発射ハンドル３００が遊技者によって握持され、かつ、時計回り方向へ回動操作されたときには、上述の通り発射ハンドル３００とともに回動軸部３１０も回動し、その回動角度に応じて発射モータに電力が供給され、上皿２０に貯留された遊技球が遊技盤１４に順次発射される。換言すると、発射モータは、回動部の回動に伴い遊技球の発射動作を駆動する発射駆動部の一例として機能する。
【００３３】
このように、遊技者により把持される把持部と、把持部とともに回動する回動部と、回動部の回動に伴い遊技球の発射動作を駆動する発射駆動部を有する発射操作手段を用いて、把持部を回動部に対して着脱自在とすることで、把持部を容易に交換することが可能となる。これにより、遊技を行う遊技者に、自分の手のサイズに合った把持部に取り換えて、遊技球を発射させることが可能となるので、遊技を行っている遊技者に疲労を感じさせにくく、快適に遊技を行わせることが可能な遊技機を提供できる。
【００３４】
［発射ハンドル］
〈第１実施形態〉
上述した発射ハンドル３００の構成について図４から図６を用いて説明する。図４は、発射ハンドル３００の斜視図である。図５は、発射ハンドル３００の正面図である。図６は、発射ハンドル３００の垂直方向の断面図である。
【００３５】
図４または図６に示すように、発射ハンドル３００は、ベース部４００と、ハンドル部４１０ａ、４１０ｂ、４１０ｃと、ハンドル部４１０ａ、４１０ｂ、４１０ｃに夫々接続されたラック部４２０と、開放装置４３０とから構成されている。図６に示すように、ハンドル部４１０ａ、４１０ｂ、４１０ｃに夫々接続されたラック部４２０と、開放装置４３０とは、ベース部４００によって係止されている。ベース部４００、ハンドル部４１０ａ、４１０ｂ、４１０ｃ、開放装置４３０は、合成樹脂で形成しているが、本発明は合成樹脂に限定されることなく、鋼材や木材等の任意の素材で形成することができる。
【００３６】
図５に示すように、ベース部４００は、ハンドル受け部４０１ａ、４０１ｂ、４０１ｃが正面視で夫々１２０°の角度で交わり外観を形成している。ハンドル受け部４０１ａ、４０１ｂ、４０１ｃは、互いに同じ長さで形成された略矩形の筒状体である。
【００３７】
また、ベース部４００の正面視における一方の面の中心には、後述する開放装置４３０のボタン部４３４が突出する開放装置用穴部４０２が形成されている。また、図６に示すように、他方の面の中心には、上述した回動軸部３１０の係合凸部３１５に係合される係合凹部４０５が形成されている。
【００３８】
さらに、ハンドル受け部４０１ａ、４０１ｂ、４０１ｃの内部における中心部近傍には、支点板４０４が設けられている。支点板４０４は、長方形の板状体であり、一方の辺はハンドル受け部４０１ａ、４０１ｂ、４０１ｃの内径と同じ寸法であり、他方の辺はハンドル受け部４０１ａ、４０１ｂ、４０１ｃの内径の略１／２の寸法であり、係合凹部４０５が形成されている面に設けられている。
【００３９】
図６に示すように、ハンドル部４１０ａ、４１０ｂ、４１０ｃは、楕円体であり、ベース部４００の開放装置用穴部４０２を中心として、緩やかに湾曲している。ラック部４２０は、断面形状が矩形の長尺体であり、正面には、“４”ヵ所の歯が等間隔で形成されている。そして、ラック部４２０の一端は、ハンドル部４１０ａ、４１０ｂ、４１０ｃの夫々の中心に接合され、他端は、ベース部４００のハンドル受け部４０１ａ、４０１ｂ、４０１ｃに夫々挿入され、端部に第２バネ状体４２５が装着されている。
【００４０】
開放装置４３０は、ベース部４００のハンドル受け部４０１ａ、４０１ｂ、４０１ｃ内部に夫々挿入された爪部４３２と、夫々挿入された爪部４３２が交わる中心に形成され、ベース部４００の開放装置用穴部４０２から突出するボタン部４３４とからなる。爪部４３２は、断面形状が矩形の長尺体であり、先端には爪が形成されている。爪部４３２は、夫々挿入された爪部４３２が交わる中心でボタン部４３４に接合され、当該接合部分近傍において、ベース部４００における支点板４０４に接し、先端の爪がハンドル部４１０ａ、４１０ｂ、４１０ｃにおけるラック部４２０の歯と係合されている。ボタン部４３４は、円柱体であり、一端がベース部４００の開放装置用穴部４０２から突出し、他端が爪部４３２に接合され、当該接合部分で第１バネ状体４３５により正面側に押圧されている。
【００４１】
発射ハンドル３００の作用について図５、図６を用いて説明する。
【００４２】
図５または図６に示すように、発射ハンドル３００を操作する遊技者は、例えば、発射ハンドル３００を把持したときに、自分の手のサイズより大きい場合は、ハンドル部４１０ａ、４１０ｂ、４１０ｃを強く握り締めることで、ハンドル部４１０ａ、４１０ｂ、４１０ｃに夫々接続されたラック部４２０が、ベース部４００のハンドル受け部４０１ａ、４０１ｂ、４０１ｃに挿入される。すなわち、ベース部４００の中心からハンドル部４１０ａ、４１０ｂ、４１０ｃの端部までの寸法が変更される。そして、図６に示すように、ハンドル部４１０ａ、４１０ｂ、４１０ｃに夫々接続されたラック部４２０が、ベース部４００のハンドル受け部４０１ａ、４０１ｂ、４０１ｃに挿入されると、ラック部４２０に設けられた“４”ヵ所の歯に、開放装置４３０の爪部４３２が順次係合される。すなわち、ラック部４２０に設けられた“４”ヵ所の歯に、開放装置４３０の爪部４３２が順次係合することで、ベース部４００の中心からハンドル部４１０ａ、４１０ｂ、４１０ｃの端部までの寸法が固定される。
【００４３】
換言すると、ラック部４２０は、把持部における遊技者が把持する箇所の外径寸法である把持径寸法を遊技者の操作によって変更し得る変更手段の一例として機能する。
【００４４】
なお、把持部における遊技者が把持する箇所の外径寸法とは、把持部における所定の端部と、把持部が回動部に取り付けられた部分を基準として所定の端部と対向する端部との距離である。
【００４５】
また、換言すると、爪部４３２は、変更手段によって変更された把持径寸法を固定する寸法固定手段の一例として機能する。
【００４６】
このように、把持部の把持される箇所の外径寸法である把持径寸法を遊技者の操作によって変更手段により変更し、更に変更された把持径寸法を寸法固定手段によって固定することで、遊技者の操作で一つの把持部を複数のサイズに設定することが可能となる。これにより、遊技を行う遊技者に、一つの把持部であっても自分の手のサイズに合った把持径寸法に変更して遊技球を発射させることが可能となるので、遊技者に疲労を感じさせにくく、快適に遊技を行わせることが可能な遊技機を提供できる。
【００４７】
発射ハンドル３００を操作する遊技者は、例えば、発射ハンドル３００を把持したときに、自分の手のサイズより小さい場合は、ボタン部４３４を押すことで、爪部４３２は、付けね部分に設けられた支点板４０４に支持されて先端部部分が押し上げられ、ラック部４２０に設けられた“４”ヵ所の歯との係合が解除されるので、ラック部４２０は、第２バネ状体４２５により押し出される。すなわち、ラック部４２０に接続されたハンドル部４１０ａ、４１０ｂ、４１０ｃは、変動状態となる。
【００４８】
換言すると、ボタン部４３４は、寸法固定手段により固定された把持径寸法を遊技者の操作により変動状態に開放する開放手段の一例として機能する。
【００４９】
このように、寸法固定手段により固定された把持径寸法を遊技者の操作により変動状態に開放する開放手段を有するので、把持径寸法の変更された把持部を変動状態に開放し、元の把持径寸法に戻すことが可能となる。これにより、例えば、把持部の把持径寸法を小さくしすぎた場合に開放手段の操作により変動状態とし、再び自分の手のサイズに把持径寸法を変更することが可能となるので、最も適した把持径寸法に容易に調整することが可能となるので、把持径寸法の変更にあたって遊技者に疲労を感じさせにくく、快適に遊技を行わせることが可能な遊技機を提供できる。
【００５０】
なお、前記変更手段は、前記把持部に接合された長尺体であり、軸方向に対して垂直方向に複数の歯が形成され、前記寸法固定手段は、長尺体であり、一方端部に前記歯に係合する爪部を形成し、所定の支点を介して他方端部が前記開放手段に連結され、遊技者による前記開放手段の押圧により前記寸法固定手段の他方端部が押し下げられ、前記所定の支点により一方端部が押し上げられ前記歯と爪部との係合が解除されることを特徴とする請求項３に記載の遊技機とすることができる。
【００５１】
換言すると、ラック部４２０は、把持部に接合された長尺体であり、軸方向に対して垂直方向に複数の歯が形成された変更手段の一例として機能する。また、支点板４０４は、所定の支点の一例であり、爪部４３２は、長尺体であり、一方端部に歯に係合する爪部を形成し、所定の支点を介して他方端部が開放手段に連結され、遊技者による開放手段の押圧により寸法固定手段の他方端部が押し下げられ、所定の支点により一方端部が押し上げられ歯と爪部との係合が解除される寸法固定手段の一例として機能する。
【００５２】
このように、遊技者により把持される把持部に変更手段を接合することで、把持部が遊技者によりに強く握られることで、把持径寸法を変更することが可能となり、寸法固定手段の一方端部の爪部を変更手段の歯に係合し、他方端部を開放手段に連結することで、遊技者は開放手段を押圧するだけで、把持部を変動状態に開放し、元の把持径寸法に戻すことが可能となる。これにより、開放手段の押圧だけで、把持部を変動状態とし、自分の手のサイズに把持径寸法を変更することが可能となるので、最も適した把持径寸法にさらに容易に調整することが可能となるので、把持径寸法の変更にあたって遊技者に疲労を感じさせにくく、快適に遊技を行わせることが可能な遊技機を提供できる。
【００５３】
〈第２実施形態〉
上述した発射ハンドル３００の第１実施形態とは異なる第２実施形態の構成について図７から図９を用いて説明する。図７は、発射ハンドル３００の斜視図である。図８は、発射ハンドル３００の正面図である。図９は、発射ハンドル３００の垂直方向の断面図である。
【００５４】
図７に示すように、発射ハンドル３００は、ベース部５００と、ハンドル部５１０ａ、５１０ｂ、５１０ｃと、ハンドル部５１０ａ、５１０ｂ、５１０ｃに夫々回動自在に係合されたアーム５１５ａ、５１５ｂ、５１５ｃと、アーム５１５ａ、５１５ｂ、５１５ｃに夫々回動自在に係合された軸部５３０とから構成されている。ベース部５００、ハンドル部５１０ａ、５１０ｂ、５１０ｃ、軸部５３０は、合成樹脂で形成しているが、本発明は合成樹脂に限定されることなく、鋼材や木材等の任意の素材で形成することができる。
【００５５】
図９に示すように、ベース部５００は、円筒状の長尺体である。ベース部５００の内部には、アーム５１５ａ、５１５ｂ、５１５ｃが係合された軸部５３０が組込まれている。ベース部５００には、アーム５１５ａ、５１５ｂ、５１５ｃを突出させ、回動角度を規制するためのアーム角度規制用欠き込み部５２４が、アーム５１５ａ、５１５ｂ、５１５ｃ夫々に対して形成されている。
【００５６】
また、アーム角度規制用欠き込み部５２４と同じ軸上に、欠き込み部５２０が形成されている。欠き込み部５２０は、軸方向移動用欠き込み部５２１と、軸方向移動用欠き込み部５２１に沿って等間隔に形成された係止用欠き込み部５２２ａ、５２２ｂ、５２２ｃとから構成されている。
【００５７】
さらに、ベース部５００の正面視における一方の端部からは、後述する軸部５３０の把手部５３４が突出される。また、図６に示すように、他方の端部には、上述した回動軸部３１０の係合凸部３１５に係合される係合凹部５０５が形成されている。
【００５８】
図９に示すように、ハンドル部５１０ａ、５１０ｂ、５１０ｃは、楕円体であり、ベース部５００を中心として、緩やかに湾曲している。ハンドル部５１０ａ、５１０ｂ、５１０ｃには夫々アーム５１５ａ、５１５ｂ、５１５ｃの一端に回動自在に係合されている。また、アーム５１５ａ、５１５ｂ、５１５ｃの他端は、軸部５３０に回動自在に係合されている。アーム５１５ａ、５１５ｂ、５１５ｃの断面形状は矩形であり鋼製で形成されている。
【００５９】
軸部５３０は、ベース部５００の内部に装着され円柱体であり、先端部である一方端部にはベース部５００から突出し把手部５３４が形成され、他方端部には、バネ状体５３５が装着されている。
【００６０】
また、軸部５３０には、ベース部５００においてアーム角度規制用欠き込み部５２４が形成された部分には、アーム５１５ａ、５１５ｂ、５１５ｃの他端が回動自在に係合されている。さらに、軸部５３０には、アーム５１５ａの係合部分に対応して、同じ軸上に、突起部５３２が形成されている。突起部５３２は、ベース部５００の軸方向移動用欠き込み部５２１において軸方向に移動可能であり、等間隔に形成された係止用欠き込み部５２２ａ、５２２ｂ、５２２ｃに係止される。
【００６１】
発射ハンドル３００の作用について図８、図９を用いて説明する。
【００６２】
図８と図９に示すように、発射ハンドル３００を操作する遊技者は、例えば、発射ハンドル３００を把持したときに、自分の手のサイズより大きい場合は、軸部５３０の把手部５３４を右側に回転させることで、ベース部５００の係止用欠き込み部５２２ａ、５２２ｂ、５２２ｃのいずれかと突起部５３２との係合が解除される。そして、軸部５３０を軸方向移動用欠き込み部５２１に沿って、ベース部５００に挿入することで、軸部５３０のアーム５１５ａ、５１５ｂ、５１５ｃとの係合部分が後方に移動し、これに伴いアーム５１５ａ、５１５ｂ、５１５ｃにおけるアーム角度規制用欠き込み部５２４との接点がアーム５１５ａ、５１５ｂ、５１５ｃの端部から中央部に移動するので、アーム５１５ａ、５１５ｂ、５１５ｃに夫々係合されたハンドル部５１０ａ、５１０ｂ、５１０ｃと、ベース部５００との距離が縮まる。すなわち、ハンドル部５１０ａ、５１０ｂ、５１０ｃのいずれかの端部と、ベース部５００を基準として対向する端部との距離が縮まる。
【００６３】
そして、軸部５３０の把手部５３４を左側に回転させ、ベース部５００の係止用欠き込み部５２２ａ、５２２ｂ、５２２ｃのいずれかと突起部５３２とを係合することで、軸部５３０の軸方向の移動を規制することが可能となる。すなわち、ハンドル部５１０ａ、５１０ｂ、５１０ｃのいずれかの端部と、ベース部５００を基準として対向する端部との距離が固定される。
【００６４】
換言すると、突起部５３２は、把持部における遊技者が把持する箇所の外径寸法である把持径寸法を遊技者の操作によって変更し得る変更手段の一例として機能する。
【００６５】
また、換言すると、係止用欠き込み部５２２ａ、５２２ｂ、５２２ｃが形成されたベース部５００は、変更手段によって変更された把持径寸法を固定する寸法固定手段の一例として機能する。
【００６６】
このように、遊技者により把持される把持部の把持される箇所の外径寸法である把持径寸法を遊技者の操作によって変更手段により変更し、更に変更された把持径寸法を寸法固定手段によって固定することで、遊技者の操作で一つの把持部を複数のサイズに設定することが可能となる。これにより、遊技を行う遊技者に、一つの把持部であっても自分の手のサイズに合った把持径寸法に変更して遊技球を発射させることが可能となるので、遊技者に疲労を感じさせにくく、快適に遊技を行わせることが可能な遊技機を提供できる。
【００６７】
発射ハンドル３００を操作する遊技者は、例えば、発射ハンドル３００を把持したときに、自分の手のサイズより小さい場合は、軸部５３０の把手部５３４を右側に回転させることで、ベース部５００の係止用欠き込み部５２２ａ、５２２ｂ、５２２ｃのいずれかと突起部５３２との係合が解除される。そして、軸部５３０の端部に装着されたバネ状体５３５により軸方向移動用欠き込み部５２１に沿って、把手部５３４はベース部５００から押し出されることで、軸部５３０のアーム５１５ａ、５１５ｂ、５１５ｃとの係合部分が前方に移動し、これに伴いアーム５１５ａ、５１５ｂ、５１５ｃにおけるアーム角度規制用欠き込み部５２４との接点がアーム５１５ａ、５１５ｂ、５１５ｃの中央部から端部に移動するので、アーム５１５ａ、５１５ｂ、５１５ｃに夫々係合されたハンドル部５１０ａ、５１０ｂ、５１０ｃと、ベース部５００との距離が拡がるとともに、ハンドル部５１０ａ、５１０ｂ、５１０ｃは変動状態となる。
【００６８】
換言すると、把手部５３４は、寸法固定手段により固定された把持径寸法を遊技者の操作により変動状態に開放する開放手段の一例として機能する。
【００６９】
このように、寸法固定手段により固定された把持径寸法を遊技者の操作により変動状態に開放する開放手段を有するので、把持径寸法の変更された把持部を変動状態に開放し、元の把持径寸法に戻すことが可能となる。これにより、例えば、把持部の把持径寸法を小さくしすぎた場合に開放手段の操作により変動状態とし、再び自分の手のサイズに把持径寸法を変更することが可能となるので、最も適した把持径寸法に容易に調整することが可能となるので、把持径寸法の変更にあたって遊技者に疲労を感じさせにくく、快適に遊技を行わせることが可能な遊技機を提供できる。
【００７０】
なお、前記把持部は、前記回動部に係合された筒状体のベース部内部に遊貫された軸部にリンク部材を介して連結され、前記変更手段は、前記軸部に形成された突起部であり、前記寸法固定手段は、前記ベース部周壁に形成され前記突起部に係合する複数の欠き込み部であり、前記開放手段は、前記軸部における前記ベース部から突出した端部であることを特徴とする請求項３に記載の遊技機とすることができる。
【００７１】
換言すると、ハンドル部５１０ａ、５１０ｂ、５１０ｃは、把持部の一例であり、ベース部５００は、回動部に係合された筒状体のベース部の一例であり、軸部５３０は、ベース部内部に遊貫された軸部の一例であり、アーム５１５ａ、５１５ｂ、５１５ｃは、把持部と軸部を連結するリンク部材の一例であり、突起部５３２は、軸部に形成された突起部である変更手段の一例であり、係止用欠き込み部５２２ａ、５２２ｂ、５２２ｃは、ベース部周壁に形成され突起部に係合する複数の欠き込み部の一例であり、把手部５３４は、軸部における前記ベース部から突出した端部である開放手段の一例である。
【００７２】
このように、把持部とベース部内部に貫入された軸部とをリンク部材介して連結することで、軸部の前後方向の運動を把持部の垂直方向の運動に変換することが可能となる。そして、遊技者により軸部のベース部から突出した端部が操作されることで、軸部における前後方向の移動を軸部に形成された突起部をベース部周壁における複数の欠き込み部に係合させまたは、係合を解除することで、把持径寸法を変更し、変動状態に開放すことが可能となる。これにより、開放手段の操作だけで、自分の手のサイズに把持径寸法を変更することが可能となるので、最も適した把持径寸法にさらに容易に調整することが可能となるので、把持径寸法の変更にあたって遊技者に疲労を感じさせにくく、快適に遊技を行わせることが可能な遊技機を提供できる。
【００７３】
尚、上述した実施形態においては、第１種パチンコ遊技機を例に挙げたが、これに限らず、羽根モノ、ヒコーキと称される第２種パチンコ遊技機、権利ものと称される第３種パチンコ遊技機、その他別の態様であってもよい。
【００７４】
以上、本発明の実施例を説明したが、具体例を例示したに過ぎず、特に本発明を限定するものではない。すなわち、本発明は、主に、遊技を行う遊技領域を前面側に形成する遊技機枠体と、一方端部が前記遊技機枠体に回動自在に支持され、他方端部が前記遊技領域に対して後方側へ回動する支持手段と、前記支持手段が前記遊技領域に対して後方側へ所定の最大回動角度以上に回動することを規制する回動角度規制手段とを備えたことを特徴とする遊技機であるが、遊技機枠体、支持手段、回動角度規制手段などの具体的構成は、適宜設計変更可能である。
【００７５】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００７６】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における発射操作ユニットを示す説明図である。
【図４】本発明の一実施形態のパチンコ遊技機における発射ハンドルを示す説明図である。
【図５】本発明の一実施形態のパチンコ遊技機における発射ハンドルを示す説明図である。
【図６】本発明の一実施形態のパチンコ遊技機における発射ハンドルを示す説明図である。
【図７】本発明の別実施形態のパチンコ遊技機における発射ハンドルを示す説明図である。
【図８】本発明の別実施形態のパチンコ遊技機における発射ハンドルを示す説明図である。
【図９】本発明の別実施形態のパチンコ遊技機における発射ハンドルを示す説明図である。
【符号の説明】
【００７７】
１０    パチンコ遊技機
１１    扉
１２    本体枠
１３    ベースドア
１４    遊技盤
１５    遊技領域
２６    発射操作ユニット
３２    液晶表示装置
３２ａ    表示領域
３００    発射ハンドル
３１０    回動軸部
３１５    係合凸部
３２０    ハウジング部
４００    ベース部
４０１ａ、４０１ｂ、４０１ｃ    ハンドル受け部
４０２    開放装置用穴部
４０４    支点板
４０５    係合凹部
４１０ａ、４１０ｂ、４１０ｃ    ハンドル部
４２０    ラック部
４２５    第２バネ状体
４３０    開放装置
４３２    爪部
４３４    ボタン部
４３５    第１バネ状体
５００    ベース部
５０５    係合凹部
５１０ａ、５１０ｂ、５１０ｃ    ハンドル部
５１５ａ、５１５ｂ、５１５ｃ    アーム
５２０    欠き込み部
５２１    軸方向移動用欠き込み部
５２２ａ、５２２ｂ、５２２ｃ    係止用欠き込み部
５２４    アーム角度規制用欠き込み部
５３０    軸部
５３２    突起部
５３４    把手部
５３５    バネ状体
【図１】
2007111134.tif 000003
【図２】
2007111134.tif 000004
【図３】
2007111134.tif 000005
【図４】
2007111134.tif 000006
【図５】
2007111134.tif 000007
【図６】
2007111134.tif 000008
【図７】
2007111134.tif 000009
【図８】
2007111134.tif 000010
【図９】
2007111134.tif 000011